(57)【要約】【課題】  筆記している最中にインクがなくなった場合、即座にしかも簡単にインクを補充できるマーカーを提供する。【解決手段】  マーカー１は、軸筒２とインク貯蔵体６とで構成する。前記軸筒２は前側軸３と後側軸５とからなり、前側軸を回転させると前側軸が後側軸内に漸次螺入し、インク貯蔵体６に装着されたインク補充管７６が補充用インクタンク６０を被覆する薄膜６４を突き破り、補充用インクタンク内のインクがインク補充管を通ってインク吸蔵部７２に流入する。【選択図】図１
2006224326.tif 000002
【特許請求の範囲】
【請求項１】
軸筒と、該軸筒内に配置されたインク吸蔵体と、後端部側において前記インク吸蔵体に接続され、先端部側において前記軸筒の先端部から突出しているペン先とを備えたマーカーにおいて、前記軸筒内に前記インク吸蔵体とは別個に設けられた補充用インクタンクと、前記補充用インクタンク内のインクを前記インク吸蔵体へ給送するインク給送手段とを備えることを特徴とするマーカー。
【請求項２】
請求項１記載のマーカーにおいて、前記補充用インクタンクは、前記軸筒内において前記インク吸蔵体の後方側に設けられた前記軸筒の軸方向に伸びる筒状体により形成され、前記補充用インクタンクの先端部側は薄膜で封止され、前記インク給送手段は、前記軸筒の軸方向に伸びて配置された両端が開口した中空管を含み、前記中空管は少なくとも後端部側において小孔を備えた尖頭状に形成され、前記軸筒の後端部側へ向かって所定の距離だけ移動させられた時にその後端部側が前記薄膜に突き刺さるように構成されていることを特徴とするマーカー。
【請求項３】
請求項2記載のマーカーにおいて、前記軸筒は前側軸と該前側軸に対して軸方向に相対移動可能に設けられた後側軸とからなり、前記インク吸蔵体は前記前側軸に一体的に移動可能に取付けられ、前記中空管はその先端部側において前記インク吸蔵体に刺し込まれていることを特徴とするマーカー。
【請求項４】
請求項3記載のマーカーにおいて、前記中空管の前記先端部は、前記ペン先のに前記後端部近くに位置していることを特徴とするマーカー。
【請求項５】
請求項3又は４記載のマーカーにおいて、前記前側軸と後側軸とには、前記中空管の前記後端部が前記補充用インクタンクから離れて位置している第1の位置において、軸方向の力を作用させることにより克服可能に、前記前側軸の前記後側軸に対する軸方向での移動を阻止する第1の位置決め手段が設けられていることを特徴とするマーカー。
【請求項６】
請求項5記載のマーカーにおいて、前記前側軸の後端部側と前記後側軸の先端部側とはそれぞれの嵌合部において互いに嵌っており、前記第1の位置決め手段は、前記前側軸と後側軸との前記嵌合部のうちの雌側嵌合部の内周上に周方向に伸びて形成された第1の突条と雄側嵌合部の外周上に周方向に伸びて形成された第2の突条とで構成されていることを特徴とするマーカー。
【請求項７】
請求項６記載のマーカーにおいて、前記第1と第2の突条のいずれか一方は軸方向所定の間隔で配置された2条の突条からなり、他方の突条は前記2条の突条の間に嵌って位置決めされることを特徴とするマーカー。
【請求項８】
請求項７記載のマーカーにおいて、前記雌側嵌合部に前記2条の突条が形成されていることを特徴とするマーカー。
【請求項９】
請求項6乃至８のいずれか1記載のマーカーにおいて、前記雌側嵌合部は前記後側軸に形成されていることを特徴とするマーカー。
【請求項１０】
請求項５記載のマーカーにおいて、前記第１の位置決め手段が克服されて前記前側軸が前記後側軸に対し後方へ所定距離だけ移動したときに、前記前側軸のさらなる後方への並進移動を阻止する並進移動阻止手段が設けられていることを特徴とするマーカー。
【請求項１１】
請求項１０記載のマーカーにおいて、前記前側軸と後側軸とはそれぞれの嵌合部において互いに嵌っており、前記並進運動阻止手段は、前記前側軸と後側軸のそれぞれの嵌合部に形成され、互いに螺合可能な雌雄のネジにより構成されていることを特徴とするマーカー。
【請求項１２】
請求項１１記載のマーカーにおいて、前記雌雄のネジの螺合により前記前側軸が前記後側軸に対して所定の距離だけ後方へ移動し、前記中空管の前記後端部が前記補充用インクタンクの前記薄膜に突き刺さった第２の位置において、軸方向の力を作用させることにより克服可能に、前記前側軸の前記後側軸に対する軸方向での移動を阻止する第２の位置決め手段が設けられていることを特徴とするマーカー。
【請求項１３】
請求項１２記載のマーカーにおいて、前記第２の位置決め手段は、前記前側軸と後側軸との嵌合部のうちの雌側嵌合部の内周上に周方向に伸びて形成された突条と雄側嵌合部の外周上に周方向に伸びて形成された突条とで構成されていることを特徴とするマーカー。
【請求項１４】
請求項１３において、前記第２の位置決め手段を構成する雄側嵌合部の突条は、前記第１の位置決め手段を構成する雄側嵌合部の突条と同じ突条により構成されることを特徴とするマーカー。
【発明の詳細な説明】
【技術分野】
【０００１】
本発明は、インク吸蔵体を使用したマーカーに関する。さらに詳細に言うと、インクがなくなった際に即座に且つ簡単にインクを補充できるマーカーに関する。
【背景技術】
【０００２】
従来インク吸蔵体を使用した筆記具所謂サインペン或いはマーカーが使用されている。このようなインク吸蔵体を使用したマーカーは、主に、軸筒と、その中に配置された繊維収束体等からなるインク吸蔵体と、そのインク吸蔵体に一端が差込まれ、他端側が軸筒先端から突出して伸びているペン先とで構成されている。そしてインク吸蔵体にはインクが含浸されていて、インクがペン先に供給されるようになっている。
【０００３】
また、上記のインク吸蔵体を使用したマーカーで、インクが補充できるタイプのものがある。その従来例の１つが特開２００２−１２７６７２に開示されている。このマーカーは、外側のケーシングである軸筒と、インクが充填されているインク吸蔵体と、軸筒の上部に取付けられている補充用筒部と、繊維収束体等のペン先とで構成されている。インクを補充する際には、補充用筒部の上部に着脱可能に取付けられている尾栓を外し、補充用筒部にインクの入ったスポイト状のインク補充具を装着してインクを注入するようになっている。
【特許文献１】特開２００２−１２７６７２
【発明の開示】
【発明が解決しようとする課題】
【０００４】
しかしながら、上記の最初に述べた従来例では、インク吸蔵体に含まれているインクには限りがある上に、そのインクの減り具合が分かりづらく、筆記中にインクが出なくなってから初めてインクがなくなったことに気付くこととなり、予備が手元になければ新しいものを準備するまで筆記が不能である。また、インクを補充できるものであっても、補充用インクは別途に用意されており、それをスポイトを用いてマーカーに補充するものであり、補充インク自体が手元に無かったり、手元にあっても空になっている場合には最初の例と同様筆記を中断せざるを得ない。
【０００５】
本願発明は上記従来例の問題点に鑑みなされたものであり、補充用のインクが軸筒の中に備えられていて、インクがなくなった際に直ちにインクを補充できるマーカーを提供することをその課題とする。さらに、インクが補充された後、そのことが外観から簡単にわかるマーカーを提供することも課題とする。
【課題を解決するための手段】
【０００６】
上記課題を解決するために本願発明は、軸筒と、該軸筒内に配置されたインク吸蔵体と、後端部側においてインク吸蔵体に接続され、先端部側において軸筒の先端部から突出しているペン先とを備えたマーカーにおいて、軸筒内にインク吸蔵体とは別個に設けられた補充用インクタンクと、この補充用インクタンク内のインクをインク吸蔵体へ給送するインク給送手段とを備えるマーカーを提供する。これにより、インク吸蔵体のインクが無くなったときには直ちにインクを補充することができる。
【０００７】
ある実施の形態では、補充用インクタンクは、軸筒内においてインク吸蔵体の後方側に設けられた軸筒の軸方向に伸びる筒状体により形成されている。そしてその補充用インクタンクの先端部側は薄膜で封止されている。一方インク給送手段は、軸筒の軸方向に伸びて配置された両端が開口した中空管を含んでおり、この中空管は少なくとも後端部側において小孔を備えた尖頭状に形成されており、軸筒の後端部側へ向かって所定の距離だけ移動させられた時にその後端部側が補充用インクタンクを封止している薄膜に突き刺さるようになっている。これによりインクが中空管内を通ってインク吸蔵体へ給送される。
【０００８】
ある実施の形態では、軸筒は前側軸と該前側軸に対して軸方向に相対移動可能に設けられた後側軸とからなり、インク吸蔵体は前側軸に一体的に移動可能に取付けられおり、中空管はその先端部側において前記インク吸蔵体に刺し込まれている。従って、前側軸を後側軸に対して軸方向後方へ移動させるという簡単な操作でインクを補充することができる。その際、中空管の前記先端部をペン先の後端部近くに位置するようにしておくと、補充されたインクが直ちにペン先に到達し、すぐに筆記を可能となる。
【０００９】
ある実施の形態では、前側軸と後側軸とには、中空管の後端部が補充用インクタンクから離れて位置している第1の位置において、軸方向の力を作用させることにより克服可能に、前側軸の後側軸に対する軸方向での移動を阻止する第1の位置決め手段が設けられている。これにより、マーカーを使用している際などに不用意に前側軸を移動させてしまうことが防止される。
【００１０】
この第１の位置決め手段は、例えば、前側軸の後端部側と後側軸の先端部側とはそれぞれの嵌合部において互い嵌るように構成し、それら嵌合部のうちの雌側嵌合部の内周上に周方向に伸びて形成された第1の突条と雄側嵌合部の外周上に周方向に伸びて形成された第2の突条という簡単な構成で実現することができる。その際、一方の突条は軸方向所定の間隔で配置された2条の突条とし、他方の突条はこの2条の突条の間に嵌って位置決めする構成とすることができる。
【００１１】
ある実施の形態では、第１の位置決め手段が克服されて前側軸が後側軸に対し後方へ所定距離だけ移動したときに、前側軸のさらなる後方への並進移動を阻止する並進移動阻止手段が設けられている。これにより、誤って軸方向に力を加えてしまっても直ちにインクを補充する状態となることが防げる。
【００１２】
ある実施の形態では、前側軸と後側軸とはそれぞれの嵌合部において互いに嵌っており、並進運動阻止手段は、前側軸と後側軸のそれぞれの嵌合部に形成され、互いに螺合可能な雌雄のネジにより構成されている。マーカーを使用する者が誤って前側軸を軸方向に押し込みそれに続けて前側軸を回転させることはほとんど起こり得ないことであり、誤動作によりインクを補充してしまうこと確実に防止できる。またこの構成により、インク補充時には前側軸が相当程度後方へ移動し、一目でインク補充状態にあることが確認できる。従って予備のマーカーを準備する必要性を知ることができる。
【００１３】
ある実施の形態では、雌雄のネジの螺合により前側軸が後側軸に対して所定の距離だけ後方へ移動し、中空管の後端部が補充用インクタンクの薄膜に突き刺さった第２の位置において、軸方向の力を作用させることにより克服可能に、前側軸の前記後側軸に対する軸方向での移動を阻止する第２の位置決め手段が設けられている。これにより不用意に前側軸を第１の位置に戻してしまうことが防止され、予備のマーカーを準備する必要性を知らせる状態を維持できる。この第２の位置決め手段は、例えば前述した第１の位置決め手段と同様の構成を採用することができる。
【発明の効果】
【００１４】
本発明においては、補充用インクタンクがマーカーの軸筒内に設けられており、インク吸蔵体のインクが無くなったときには直ちにインクの補充が行える。その補充は前側軸を後側軸に対して後方へ移動させる簡単な操作で行える。また補充されたインクが直ちにペン先に到達し、すぐに筆記を可能となる。
【００１５】
さらに、中空管の後端部が補充用インクタンクから離れて位置している第1の位置に位置決めしておく第1の位置決め手段が設けられているので、マーカーを使用している際などに不用意に前側軸を移動させてしまうことが防止される。
【００１６】
また、第１の位置決め手段が外されてもそのまま前側軸がさらに後方へ移動することは防止され、回転させなければ更なる後方への移動はできず、誤動作によりインクを補充してしまうことが確実に防止できる。また、インク補充時には前側軸が相当程度後方へ移動しているので、一目でインク補充済状態にあることが確認できる。従って予備のマーカーを準備する必要性を警告することができる。さらにその第２の位置に位置決めする手段が設けられているので、予備のマーカーを準備する必要性を警告する状態を維持できる。前の使用者が補充を忘れても次の使用者に警告することができる。
【発明を実施するための最良の形態】
【００１７】
以下、図面を参照して本発明の実施の形態について説明する。図１は本発明に基づくマーカー１の縦断面図であり、インク補充前の状態を示すものである。まず、この図に基づき本発明の実施形態であるマーカー１の構造について説明する。
【００１８】
マーカー１は軸筒２を備え、この軸筒２は前側軸３と後側軸５とで構成されている。前側軸３の先端側すなわちペン先側の部分にはペン先装着部１５が形成されており、その先端はテーパー状に径が小さくなっている。このペン先装着部１５には孔２０が形成されており、後述するペン先７５が挿入固定される。
【００１９】
ペン先装着部１５の後側には、内側が中空部１３となっている保持部７が形成されている。この保持部７は後方に向かってテーパー状に径が広がるテーパー部と、そこから円筒状に後方へ伸びる円筒部とを備えている。中空部１３は保持部７の外形形状とほぼ相似形をしており、この中空部１３に孔２０の後端が開口している。円筒部の内周側には４つのリブ２６が円周方向に９０°間隔で軸方向及び径方向に伸びて形成されている。このリブ２６は４つとも同じ形状で軸方向に細長い薄板状をしており、後述するインク貯蔵体６を固定する。
【００２０】
保持部７の後側には、保持部７の円筒部の外径より小さい外径を有する筒状の嵌合部３０が後方に伸びている。この嵌合部３０の外周の軸方向のほぼ中間位置には円周方向に伸びる幅の狭い突条３４が設けられている。この突条３４の外周は後述するメネジ部４２よりも小さいものとする。突条３４から所定の距離を置き前方で、保持部７のすぐ後方には、オネジ部３５が所定の範囲に形成されている。このオネジ部３５の外径は嵌合部３０の外径より大きいが、保持部７の外径よりは小さい。
【００２１】
後側軸５は前側軸３の保持部７の円筒部とほぼ同じ外径を有する円筒形であり、後端が底部３５によって閉じられている。後側軸５の前端近くの内周は若干他の部分よりも内径が広くなっていて、この部分に軸方向所定の範囲においてメネジ部４０が形成されている。この部分の内径を広げたことにより、前側軸３の突条３４をメネジ部４０の後方に形成されている後述する突条４２に嵌めこむ際に、突条３４がメネジ部４０の邪魔にならないようなっている。また、メネジ部４０は前述した嵌合部３０の外周に形成されたオネジ部３５に螺合する寸法になっている。この互いに螺合するオネジ部３５とメネジ部４０は、軸方向に作用する力により前側軸３と後側軸５とが前述の第１の位置決め位置から脱しても前側軸３が後側軸５に対してそのままさらに軸方向へ移動を続けることを防止する。すなわち、それ以上前側軸３を移動させるには、前側軸３を後側軸５に対して所定の方向に回転させなければならない。メネジ部４０の後方は、前述したように、内径が若干小さくなり、突条４２が形成されている。この突条４２は、前述の前側軸３の突条３４と共に、前側軸３を図１に示す第１の位置に位置決めする第１位置決め手段を構成する。この突条４２は円周方向に伸びる同じ形状の２本の突条からなる。この２本の突条は軸方向にある一定の距離離れていて、この２本の突条の間に前述した嵌合部３０の突条３４が嵌るようになっている。前側軸３、後側軸５は共にプラスチック製であり、軸方向に力を加えることにより突条３４、４２を弾性変形させ、この位置決め状態を脱することができる。
【００２２】
突条４２の後方には所定の距離をおいて突条４６が形成されている。この突条４６は、前述の前側軸３の突条３４と共に、前側軸３を図３に示す第２の位置に位置決めする第２位置決め手段を構成する。この突条４６は２本の円周方向に伸びる突条からなっている。すなわち、前側軸３が後側軸５に対してある距離だけ後方へ移動すると、前側軸３の突条３４がこの２本の突条４６の間に嵌り、前側軸３と後側軸５とを第２の位置に位置決めする。
【００２３】
突条４６から所定の距離をおいて後方に、４つのリブ５２が円周方向に９０°間隔で軸方向及び径方向に伸びて形成されている。このリブ５２は４つとも同じ形状で薄板状をしており、後述のインク吸蔵体６の後端部側を支持し、その軸方向移動をガイドする。
【００２４】
後側軸５の後端部の内側には補充用インクタンク６０が設けられている。この補充用インクタンク６０は後側軸５の底部３５から前方に伸びる円筒部６２と、その前端面に熱接着等の方法により液密に被せられて封止しているビニールの薄膜６４とで構成されている。この補充用インクタンク６０内に補充用のインクが充填されている。薄膜６４はビニールに限定されるものではなく、他の合成樹脂からなる薄膜でも良く、或いは表面を適宜に処理した紙なども使用できる。この薄膜に要求される性質としては、後述する中空管７６の後端部が突き刺さったときに孔が開くのみで、孔から外方へ裂目が生じないことである。
【００２５】
マーカー１の内部には、略円柱状のインク貯蔵体６が、前述したリブ２６により図示の通り前側軸３に固定され、リブ５２により後端部を支持され、ガイドされる。このインク貯蔵体６はインクが吸蔵されている繊維収束体のインク吸蔵部７２と、その外周を覆う樹脂製で円筒状の被覆材７４とで構成されている。この構成は公知である。
【００２６】
インク吸蔵部７２の先端部にはペン先７５の一端が刺し込まれ、他端は前述したペン先装着部１５の孔２０を通ってマーカー１の外方に突出している。また、インク吸蔵部７２にはその後端部から合成樹脂製の細長いインク補充管７６が刺し込まれている。このインク補充管７６は両端が細くて開口しており、一端がインク吸蔵体７２の後端から突出し、他端がペン先７５のインク吸蔵部７２に刺し込まれた一端の近くまで伸びている。
【００２７】
インク補充前の状態では、前述した前側軸３の突条３４は図１に示すように後側軸５の２本の突条４２の間に嵌まっている。この状態では、インク補充管７６の後端部と補充用インクタンク６０の前部に被さっている薄膜６４とは離れている。
【００２８】
次にインクの補充方法について説明する。インク貯蔵体６のインクが無くなり筆記が出来なくなった場合に、先ず、上記の状態でインクを補充する際、前側軸３を後側軸５に押し込み、図２のように突条３４を突条４２から外す。そして、前側軸３を所定の方向に回転させ、オネジ部３５、メネジ部４０の作用により前側軸３をさらに後退させる。所定の距離だけ後退すると突条３４が後側軸５の突条４６の図中右側の突条に当たるが、さらに前側軸３を回転させて後退させ、突条３４を２本の突条４６の右側の突条を乗越えさせ、図３のように２本の突条４６の間に位置させる。これらの突条３４、４６により前側軸３、後側軸５は図２に示す第２の位置に位置決めされる。この第２の位置に到達すると、インク補充管７６の後端部が補充用インクタンク６０の薄膜６４を突き破り、補充用インクタンク６０に入っているインクがインク補充管７６を通って、先端開口部からインク吸蔵体７２に流入し、ペン先７５にインクが送り込まれる。前述したように、インク補充管７６の他端はペン先７５のインク吸蔵部７２に刺し込まれた一端の近くまで伸びているためインクがインク補充管７６を通ってペン先７５に素早く流入する仕組みになっている。したがって、即座に再び筆記することが可能になる。図２はマーカー１の縦断面図であり、インク補充後の内部構造を示す。図１と比較するとわかる通り、インク補充後のマーカー１は、前側軸３のオネジ部３５が後側軸５内に隠れ、インク補充前とインク補充後では外観が異なる。したがって，使用者はマーカー１がインク補充前か後かを外観から簡単に見分けることができる。
【図面の簡単な説明】
【００２９】
【図１】本発明に基づくマーカーの縦断面図であり、インク補充前の内部構造を示す。
【図２】本発明に基づくマーカーの縦断面図であり、突条３４を突条４２から外した状態を示す。
【図３】本発明に基づくマーカーの縦断面図であり、インク補充後の内部構造を示す。
【符号の説明】
【００３０】
１：マーカー    ２：軸筒    ３：前側軸    ５：後側軸    ６：インク貯蔵体
７：保持部    ２６：リブ        ３４：突条
３５：オネジ部    ３６：突条    
４０：メネジ部    ４６：突条    ５２：リブ    
６０：補充用インクタンク    ６４：薄膜    ７２：インク吸蔵部
７５：ペン先    ７６：インク補充管
【図１】
2006224326.tif 000003
【図２】
2006224326.tif 000004
【図３】
2006224326.tif 000005